(57)【特許請求の範囲】
【請求項１】
検体を分注する分注ノズルと、
分注台上に配列され、前記検体が収容される容器を保持する複数の容器ラックと、
前記分注台上に配列される容器ラックを特定できるファイルにその容器ラックに付された色のデータを含ませ、前記各容器ラックに付された色を前記容器ラックごとに管理する管理テーブルと、
前記管理テーブルを参照し、前記複数の容器ラックを複数のラックシンボルで表した状況表示画像を作成し表示器へ出力する画像形成部であって、前記各ラックシンボルに対応する前記各容器ラックについてその容器ラックを特定できる前記ファイルを参照しその容器ラックに付された色をその容器ラックに対応するラックシンボルに着色して表示器に出力する画像形成部と、
を備えることを特徴とする検体前処理システム。
【請求項２】
請求項１に記載の検体前処理システムにおいて、
前記状況表示画像上における前記複数のラックシンボルの配列は、前記分注台上の前記複数の容器ラックの配列に対応していることを特徴とする検体前処理システム。
【請求項３】
請求項１に記載の検体前処理システムにおいて、
各容器の分注進行状況を管理する分注状況管理手段を備え、
前記各容器ごとに、その分注進行状況に対応したステータスカラーを有する容器シンボルが、前記各ラックシンボルの中に表されることを特徴とする検体前処理システム。
【請求項４】
請求項１、２または３に記載の検体前処理システムにおいて、
前記容器は、子検体容器であることを特徴とする検体前処理システム。
【発明の詳細な説明】
【０００１】
【発明の属する技術分野】
本発明は、検体前処理システムに係り、特に分注状況を表示する表示画面を備える検体前処理システムに関する。
【０００２】
【従来の技術】
親検体容器から子検体容器へ検体を分注する検体前処理システムにおいて、システムの始動のまえに、検体前処理に必要なさまざまなデータが登録される。例えば、分注モードの指定とともに、子検体容器の配列や親検体容器の選択、分注項目等が登録される。検体前処理システムは、複数の子検体容器を整列配置する子検体ラックが複数用いられるので、子検体容器の配列の登録は、各子検体ラックのデータの登録として行われる。そして、これらのデータに基づいて、検体前処理システムは、検体前処理を進める。一方、これらの処理の進行状況は逐次表示画面に文字等で表示される。そして、所定の分注が終了すると、オペレータは表示画面の内容を見て、分注が終了した子検体ラックを取除き、さらに分注を継続するときにおいては、必要な子検体ラックをセットする。
【０００３】
【発明が解決しようとする課題】
しかし、表示画面に示される処理の進行状況の内容は、文字によって、時には簡略化されたマークによって表示されるのみなので、交換すべき子検体ラックを判別しにくかった。すなわち、多数の子検体ラックが分注台上に配列され、その数は、例えば少ない場合で４個、多い場合は２０個にも及ぶ。しかも、交換のタイミングは各子検体ラックによりまちまちである。このような状況の中で、オペレータは分注が終了した子検体ラックを間違いなく取除き、分注をさらに継続するための対象項目の子検体ラックを新しくセットしなければならない。したがって、表示画面の文字等の内容表示のみでは、多数の子検体ラックから取除くべき子検体ラックを判別しにくかった。
【０００４】
なお、色が付けられた子検体ラックが用いられることがあったが、単に他との区別をするために漫然としか用いられておらず、ラック交換のときにその色を利用する手段がなかった。
【０００５】
本発明の目的は、かかる従来技術の課題を解決し、表示画面に表される各子検体ラックの判別を容易にする検体前処理システムを提供することである。
【０００６】
【課題を解決するための手段】
上記目的を達成するため、本発明に係る検体前処理システムは、検体を分注する分注ノズルと、分注台上に配列され、前記検体が収容される容器を保持する複数の容器ラックと、前記分注台上に配列される容器ラックを特定できるファイルにその容器ラックに付された色のデータを含ませ、前記各容器ラックに付された色を前記容器ラックごとに管理する管理テーブルと、前記管理テーブルを参照し、前記複数の容器ラックを複数のラックシンボルで表した状況表示画像を作成し表示器へ出力する画像形成部であって、前記各ラックシンボルに対応する前記各容器ラックについてその容器ラックを特定できる前記ファイルを参照しその容器ラックに付された色をその容器ラックに対応するラックシンボルに着色して表示器に出力する画像形成部と、を備えることを特徴とする。
【０００７】
かかる構成により、表示器に出力される状況表示画像には、各容器ラックが、各容器ラックに付された色（以下ラックカラーという）に相当する着色が施されて表される。したがって、状況表示画像上の各ラックシンボルの色を見れば、分注台上に配列された複数の容器ラックの中の、それに相当するラックカラーの容器ラックを容易に判別できる。
【０００８】
望ましくは、前記状況表示画像上における前記複数のラックシンボルの配列は、前記分注台上の前記複数の容器ラックの配列に対応している。この構成により、分注台上の各容器ラックとの対応付けが一目瞭然となり、各容器ラックの判別がさらに容易になる。
【０００９】
望ましくは、各容器の分注進行状況を管理する分注状況管理手段を備え、前記各容器ごとに、その分注進行状況に対応したステータスカラーを有する容器シンボルが、前記各ラックシンボルの中に表される。望ましくは、前記容器は、子検体容器である。
【００１０】
【発明の実施の形態】
以下、図面を用いて本発明に係る実施の形態につき詳細に説明する。図１は、検体前処理システム１０のブロック図である。検体前処理システム１０は、親検体容器から検体を子検体容器に分注する作業を行う検体前処理部３０２と、検体前処理システム全体の制御処理を行う制御処理部３０４とからなる。
【００１１】
検体前処理部３０２は、親検体容器を並べた親検体ラックを分注位置まで順次搬送する親検体ラック搬送装置１２と、親検体容器の栓を取り除き分注可能にする開栓ユニット１４と、親検体容器から親検体をノズルと分注ポンプを用い、子検体ラックに並べられた子検体容器に小分けする分注装置１６と、容器を搬送する容器搬送装置１８と、容器にラベルを貼付けるラベル貼付装置１９とを備える。
【００１２】
汎用のコンピュータ等で構成される制御処理部３０４は、演算処理部３０６、通信制御部３０８、入力部３１０、表示器３１２および記憶装置３１４を備え、これらは内部バスで相互に結ばれる。演算処理部３０６は、ＣＰＵと動作プログラムに従って制御処理を実行する。動作プログラムはソフトウェアで構成される。通信制御部３０８は、通信線を介して、検体前処理部３０２を構成する各装置の入出力部と接続され、制御処理部３０４と検体前処理部３０２との相互間でデータの伝送を行うことができる。入力部は、検体前処理を進めるための各条件を入力するために用いられ、入力された条件は記憶装置３１４に記憶される。また、表示器３１２は、検体前処理の進行状況を示す状況表示画像を表示するために用いられる。
【００１３】
演算処理部３０６は、検体前処理部３０２を構成する各装置に対し工程処理を指示する工程処理制御部３２０と、それら各装置から処理状況データを受取り管理する分注状況管理部３２２と、検体前処理を進めるための各条件の登録を管理する登録部３２４と、状況表示画像を形成する画像形成部３２６とを備える。
【００１４】
図２は、検体前処理システム１０の平面構成図である。なお、制御処理部３０４は図示されていない。親検体ラック等の搬送方向を理解しやすくするため、Ｘ軸方向とＹ軸方向を図２中に示した。Ｚ軸方向は紙面に垂直方向である。
【００１５】
親検体ラック搬送装置１２の投入部２０には、親検体ラック２２が手作業または別個の搬入装置を用いて外部より投入される。投入にあたっては、親検体容器の長手方向をＸ軸方向となるように方向が揃えられる。投入された親検体ラックは、移動機構によりＹ軸方向の移動経路に沿って先に送られる。移動経路の所定の分離位置に設けられたラック分離機構２４は、並べられた親検体ラック２２から先頭の１個の親検体ラックを分離する。分離された親検体ラックは、移動機構により、さらにＹ軸方向にラベル読取位置２６まで送られ、その位置にセットされる。
【００１６】
親検体ラック搬送装置１２の検出ユニット搬送機構２８は、Ｘ軸方向の第１ガイドレール３０に沿い移動可能な移動アーム３２を有する。移動アーム３２は、ラベル読取位置２６にセットされた親検体ラックの上方を越えて伸び、その先端部には、ラベルリーダー３４と容器有無センサ３６とがぶら下がって配置される。ラベルリーダー３４と容器有無センサ３６は、親検体ラックの第１ガイドレール３０側の面の反対側の面に対向する。ラベルリーダー３４は、例えばバーコードリーダーを用いることができ、容器有無センサ３６は例えば反射型の光学式センサを用いることができる。
【００１７】
かかる構成において、検出ユニット搬送機構２８の制御により、移動アーム３２をＸ軸方向に移動させることで、ラベルリーダー３４と容器有無センサ３６を、Ｘ軸方向すなわち親検体ラックの容器並べ方向に沿って自走させることができる。そして容器有無センサ３６による各容器の有無の順次検出と、容器に貼られているラベルからラベルリーダー３４による各容器のバーコードの順次読取が行われる。そのデータは、制御処理部３０４に伝送される。
【００１８】
ラベル読取が完了した親検体ラックは、Ｘ軸方向に移動するベルトライン３５により開栓ユニット１４の位置に搬送される。開栓ユニット１４は、各容器の開栓処理を行う。例えば採血管等のように汚染を避けるため、容器にはゴム栓等が設けられているので、分注に先立ち、開栓ユニット１４により栓が取り除かれる。
【００１９】
開栓処理後の親検体ラックは、ベルトライン３５によりさらにＸ軸方向に搬送され、セッティング機構３７が、親検体ラックを今度はＹ軸方向に移動させ、分注位置３８にセットする。
【００２０】
このように、親検体ラック搬送装置１２と開栓ユニット１４の構成により、投入部２０から投入された親検体ラックは、親検体容器に貼付けられたラベルが読取られ、栓が取除かれ、分注が行われる分注位置３８にセットされる。通常の分注処理を行う通常分注モードにおいても、緊急の分注処理を行う緊急分注モードにおいても、上記の工程は同様であるが、緊急分注モードのときはラベル読取において緊急親検体容器であることが読取られ、制御処理部３０４が以後の分注処理において異なる制御を行う。
【００２１】
次に、分注装置１６について説明する。ノズル搬送機構４０はノズルをＸ軸Ｙ軸Ｚ軸の３軸方向に自在に搬送する機構である。ノズル搬送機構４０は、Ｘ軸方向に配置された２本の第２ガイドレール４２と、第２ガイドレール４２上をＸ軸方向に移動可能な第１ベース４４と、第１ベース４４と一体でＹ軸方向に伸長した第１Ｙ軸アーム４６と、第１Ｙ軸アーム４６に沿いＸ軸方向に移動可能なノズル台座４８とを備え、ノズル台座４８にはノズル５０が搭載される。ノズル５０は、ノズル台座４８に対し、Ｚ軸方向に移動可能である。ノズル５０は、ノズル基部とノズル基部に着脱可能なノズルチップとからなる。また、ノズル台座４８は、ノズル５０に配管チューブ等により接続される分注ポンプを搭載することもできる。分注ポンプは、ノズル台座４８の外に別置きで配置することもできる。
【００２２】
ノズル搬送機構４０によりノズル５０が搬送できる搬送空間内に、先ほどの分注位置３８が設定されるほか、チップラック５２、チップリムーバ５４、通常子検体ラック５６が設置される通常エリア５７、及び緊急子検体ラック７７が設置される緊急エリア７６が設けられる。
【００２３】
チップラック５２は、未使用ノズルチップ５８を、ノズル基部が挿入されるチップヘッド開口部を上方に向け、複数整列させて保持する。
【００２４】
ノズルチップは、ノズル基部をＺ軸方向に下降させたときにノズル基部にはまりあう方向に、未使用ノズルチップ５８のチップヘッド開口部を上方に向け配置される。チップラック５２は、システムの処理能力に応じ、複数設けることもできる。
【００２５】
チップリムーバ５４は、ノズル基部から使用済みのノズルチップを引っ掛けて取り外すものである。チップリムーバ５４の直下には、図示されていないチップ廃棄容器が配置され、取り外された使用済みノズルチップはチップ廃棄容器に落下し、廃棄される。
【００２６】
通常エリア５７は、通常分注モードにおいて用いる通常子検体ラックを設置するエリアで、分注台の手前側に設けられる。ここで分注台とは、通常子検体ラック５６、チップラック５２、緊急子検体ラック７７等が配置される作業台のことで、分注台の手前側とは、分注台に対してオペレータが面する側をいう。通常エリア５７には、複数の通常子検体容器６０を保持する通常子検体ラック５６が少なくとも１つ設置される。例えば図１では４個の通常子検体ラック５６が設置される。システムの始動のときや通常子検体ラックの交換のとき等には、オペレータが分注台の手前側から、未使用の通常子検体容器のみを保持した通常子検体ラック５６を、通常エリア５７に新しくセットする。
【００２７】
緊急エリア７６は、緊急分注モードにおいて用いる緊急子検体ラック７７を設置するエリアで、分注台の奥側に設けられる。緊急エリア７６には、緊急子検体ラック７７が少なくとも１つ設置される。各緊急子検体ラック７７は、複数の緊急子検体容器７９を保持する。例えば、図１においては、５個の緊急子検体容器７９を保持する緊急子検体ラック７７が４個緊急エリアに設置される。緊急子検体ラック７７は、可搬型で、通常子検体ラック５６より小型である。
【００２８】
分注シーケンスは、制御処理部３０４の制御の下で、以下のように行われる。まず、ノズルチップがノズル基部に取付けられていない状態から始まる。ノズル搬送機構４０の動作により、ノズル基部を水平方向に移動させ、ノズル基部の位置をチップラック５２の真上に移す。そして未使用ノズルチップ群の中の１つの未使用ノズルチップ５８のチップヘッド開口部に向けてノズル基部を降下させる。このことでノズル基部が未使用ノズルチップ５８のチップヘッド開口部に押し込まれ、ノズルが形成される。その後所定の高さまでノズル５０を上昇させ、ノズル５０を水平方向に移動させ、ノズル５０の位置を分注位置３８にある分注対象の親検体容器の真上に移す。こうして分注の準備がなされる。
【００２９】
次に、ノズル５０を降下させ、分注ポンプの駆動制御により、所定量の親検体をノズルチップ内に吸込む。所定量は、例えば３個の子検体容器に小分けするときは、その３個の子検体の総量である。
【００３０】
次に、所定量の親検体をノズルチップ内に保持したまま、ノズル５０を所定の高さまで上昇させ、ノズル５０の位置を分注先の子検体容器の真上に移す。分注先の子検体容器は、通常分注モードのときは通常子検体ラック５６に保持された通常子検体容器であり、緊急分注モードのときは緊急エリア７６内の緊急子検体ラック７７に保持された緊急子検体容器７９であり、制御処理部３０４はその分注先を指示する。そして、その分注先の子検体容器の位置においてノズル５０を下降させ、分注ポンプの駆動制御により、吸い込んだ親検体のうち所定量を吐出する。以下このシーケンスを繰り返し、１個の親検体容器から所定数の子検体容器へ、親検体が分注される。
【００３１】
１個の親検体容器についての分注が完了すると、ノズル５０を水平方向に移動させ、ノズル５０の位置をチップリムーバ５４の真上に移す。そしてノズル５０を降下させ、使用済みノズルチップをチップリムーバ５４に引っ掛けた後、ノズル５０を所定の高さまで上昇させる。このことで使用済みノズルチップはノズル基部から取り外されチップリムーバ５４の真下に配置されたチップ廃棄容器に落下する。その後上述のように、未使用ノズルチップがノズル基部に付け替えられ、次の親検体容器からの分注が同様のシーケンスを繰り返して行われる。
【００３２】
１個の親検体ラックに並べられたすべての親検体容器について所定の分注が行われると、その親検体ラックは搬送経路に沿い搬送され、排出部６２に送られ、自動または手作業により外部に搬出される。
【００３３】
次に、容器搬送装置１８について説明する。容器搬送装置１８は、マニピュレータにより保持された容器をＸ軸Ｙ軸Ｚ軸の３軸方向に自在に搬送する機構である。容器搬送装置１８は、ノズル搬送機構でも用いられるＸ軸方向に配置された２本の第２ガイドレール４２と、第２ガイドレール４２上をＸ軸方向に移動可能な第２ベース６６と、第２ベース６６と一体でＹ軸方向に伸長した第２Ｙ軸アーム６８と、第２Ｙ軸アーム６８に沿いＸ軸方向に移動可能なマニピュレータ台座７０とを備え、マニピュレータ台座７０にマニピュレータ７２が搭載される。マニピュレータ７２は、マニピュレータ台座７０に対し、Ｚ軸方向に移動可能である。
【００３４】
第２ガイドレール４２は、容器搬送装置１８とノズル搬送機構４０と共通に用いられるので、マニピュレータ７２の移動領域は、分注位置の親検体ラックまでの広い範囲である。そこで、マニピュレータ７２の動作を利用して、その移動領域の範囲内に設けられた異常親検体退避エリア７４と、緊急エリア７６およびラベル貼付装置１９に容器を搬送することができる。
【００３５】
異常親検体退避エリア７４は、異常親検体と認識された親検体容器を収納するエリアである。異常親検体と認識される場合とは、例えばラベル読取位置２６において容器有無の確認やラベルの読取にエラーが出た場合のほか、開栓ミス、分注ミス等を含むことができる。異常親検体と認識された親検体容器は、一旦分注位置３８まで送られる。そして、制御処理部３０４の指示に従い、容器搬送装置１８の動作により、マニピュレータ７２が分注位置３８の異常親検体容器の真上に移動し、下降して異常親検体容器を保持し、所定の高さに上昇して、異常親検体退避エリア７４の真上に移動する。そして異常親検体退避エリア７４にある異常親検体ラック７５の所定の容器収納場所の位置で下降し、保持を解除し、異常親検体容器を収納する。
【００３６】
また、緊急エリア７６には、上述のように、緊急子検体ラック７７が設置される。しかし、この緊急子検体ラック７７には最初子検体容器が保持されていない場合がある。その場合は、制御処理部３０４の制御により、マニピュレータ７２が通常子検体ラック５６から未使用の通常子検体容器を保持し、緊急子検体容器７９としてラベル貼付装置１９へ搬送する。そしてラベル貼付装置１９が所定のラベルを貼付けた後、再びマニピュレータ７２がラベル貼付後の緊急子検体容器７９をラベル貼付装置１９から緊急子検体ラック７７へ移送する。このようにマニピュレータ７２の動作を利用して、通常子検体ラック５６から未使用の通常子検体容器を緊急子検体容器７９として、緊急子検体ラック７７に移送することができる。
【００３７】
この他、例えば、緊急親検体容器から通常子検体ラック５６の中の分注先の子検体容器に対し分注を行い、その分注が終わった子検体容器を緊急子検体容器７９として、マニピュレータ７２を用い、通常子検体ラック５６から、緊急子検体ラック７７へ移送することもできる。
【００３８】
次にラベル貼付装置１９を説明する。ラベル貼付装置１９は、ラベル貼付器８０と、保持器８２とを備え、子検体容器の搬送については移送機構８４との協働が行われる。ラベル貼付器８０は、子検体容器に貼る所定のラベルを用意し、保持器８２が受取った子検体容器にラベルを貼付ける。ラベルの貼付処理は、ラベル読取位置２６において取得した親検体容器のデータを転送し、分注と並列処理することができる。
【００３９】
このように、検体前処理部３０２が工程処理制御部３２０の制御の下で、上記の一連の流れを繰り返すことで、親検体の分注とラベル貼付を効率的に行うことができる。検体前処理部３０２における分注進行状況等の処理の状況は、通信制御部３０８を介して逐次制御処理部３０４に伝送され、分注状況管理部３２２がその進行状況を管理する。そして、画像形成部３２６が、記憶装置３１４に記憶された登録データの管理テーブルを参照し、その時々刻々の分注状況を子検体ラック等と対応付けて、状況表示画像を形成し、表示器３１２に表示する。なお、以下において、特に断らない限り、子検体容器とは通常子検体容器を指し、子検体ラックとは通常子検体ラックを指すものとする。
【００４０】
図３は、状況表示画像を形成する際に参照する管理テーブル３２８の一例である。管理テーブル３２８は階層構造をもつデータからなる。管理テーブル３２８のデータ内容は、最上層のプロトコル登録層の内容で示される。すなわち、分注モード指定、子検体レイアウト番号選択、親検体形状測定有無、親検体容器選択等の項目がその管理テーブル３２８を構成する。
【００４１】
プロトコル登録層の各項目は、それぞれ、さらに下位層の複数のデータから構成される。例えば、子検体レイアウト番号選択の項目は、下位層の子検体レイアウト登録層に示される各データから構成される。子検体レイアウト登録層は、各子検体レイアウト番号について、その登録ラック数ｎのデータを有し、さらに、ｎ個のラックのそれぞれについて、分注項目選択、容器形状選択、ノズル開始座標、ラック形状選択等の項目のデータを有する。
【００４２】
子検体レイアウト登録層の各項目もまた、それぞれ、さらに下位層の複数のデータから構成される。例えば、ｎ個のラックの中のある特定のラックについての分注項目選択の項目は、さらに下位層の分注項目登録層に示される各データから構成される。すなわち、項目名称、項目略称、コード、分注量設定、子検体ラベル番号、カラー選択等のデータから構成される。
【００４３】
また、例えば、ｎ個のラックの中のある特定のラックについてのラック形状選択の項目は、さらに下位層のラック形状データ層に示される各データから構成される。すなわち、ラック形状番号、ラック名称、ラックにおいて容器を保持するホール（穴）の座標、そのラックのビットマップファイル指定等のデータから構成される。ここで、ビットマップファイル指定とは、そのラックを特定できるビットマップファイル名のことで、ファイル名を指定することで、そのラックが特定できる。
【００４４】
特定のラックについて、登録されているビットマップファイル名と、カラー選択とを対応付けることで、その特定のラックのラックカラーを管理テーブル３２８の内容とすることができる。例えばビットマップファイル名が第１ラックのラックカラーは青色、ビットマップファイル名が第２ラックのラックカラーは黄色、ビットマップファイル名が第３ラックのラックカラーはオレンジ等であることが、管理テーブル３２８を参照することで取得できる。
【００４５】
管理テーブル３２８のデータは、入力部３１０を用いてユーザが登録することができる。登録にあたっては、管理テーブル３２８のデータ階層に従って、最上層から下位層に順次登録すべきデータを選択しつつ特定することで登録ができる。なお、カラー選択に当り、特定のラックのラックカラーが選択できるカラーと同色でない場合、近い色を用いることもできる。
【００４６】
図４は、画像形成部により作成された状況表示画像３３０の一例である。状況表示画像３３０は、時々刻々の分注状況を、管理テーブル３２８を参照し、子検体ラック等を示すシンボル等の画像で表したものである。
【００４７】
状況表示画像３３０は、図２で示す分注台上の各容器ラック等の配列に模し、それらに対応する各種のシンボル図形が配列される。すなわち、図２の４個の子検体ラック５６に対応して、それぞれラックシンボル３３２，３３４，３３６，３３８が、状況表示画像３３０のやや右下に配列される。そして、各子検体ラック５６の中に配置される各子検体容器６０に対応して、各ラックシンボル３３２，３３４，３３６，３３８の中に各容器シンボル３４０が重ねて表される。また、図２の親検体ラックの分注位置３８に対応して、親検体ラックシンボル３５０が、異常親検体ラック７５に対応して異常親検体ラックシンボル３５２が、緊急子検体ラック７７に対応して緊急ラックシンボル３５４が、それぞれ配列して表される。さらに、図２のチップラック５２に対応してチップラックシンボル３５６が表される。また、検体前処理の各処理工程を示す工程マーク３５８も表される。
【００４８】
各ラックシンボル３３２，３３４，３３６，３３８は、各子検体ラック５６を識別できる図形に形成される。例えば各子検体ラック５６の平面形状が矩形のときは矩形図形またはそれに近い図形で表される。各ラックシンボル３３２，３３４，３３６，３３８の配列は、分注台上の各子検体ラック５６の配列に対応して表される。
【００４９】
そして、各ラックシンボル３３２，３３４，３３６，３３８は、その対応する各子検体ラック５６のラックカラーに相当する着色が施され表示される。このとき、上述の管理テーブル３２８にあるビットマップファイル指定、すなわちそれぞれのラックのカラー選択とビットマップファイル名との対応付けデータが参照される。例えば、ラックシンボル３３２のビットマップファイル名が第１ラックに対応する容器ラックであるとき、ラックシンボル３３２には青が着色され、ラックシンボル３３６のビットマップファイル名が第２ラックに対応する容器ラックであるとき、ラックシンボル３３６には黄色が着色され表示される。
【００５０】
各容器シンボル３４０は、子検体容器６０であることを識別できる図形に形成される。例えば子検体容器６０を挿入するホール（穴）を表す丸図形とすることができる。この容器シンボル３４０を、各子検体ラック５６内にＸ軸方向、Ｙ軸方向に配置されるホール（穴）の数に対応して、各ラックシンボル３３２，３３４，３３６，３３８内に表される。
【００５１】
各容器シンボル３４０には、子検体容器６０への分注状況を示すステータスカラーが重ねて表される。ステータスカラーとは、分注進行状況を色で表したものである。例えば、子検体容器がないときは、白色のままとし、子検体容器があるときは、分注状況で色を変える。例えば分注処理前のときは薄い灰色、分注途中のときは緑色で表す。分注処理が完了したときは、その分注処理が正常完了の場合に薄い青色、正常でない終了の場合に赤色と表す。したがって、ラックシンボル中３３２，３３４，３３６，３３８について、各容器シンボル３４０のステータスカラーの変化の状況を見ることで、その子検体ラック５６の分注の進み方や分注が正常に進んでいるかが分かる。
【００５２】
工程マーク３５８は、検体前処理の各処理工程に対応してそれぞれ設けられ、例えば、各処理工程が処理中のときを、その処理工程の工程マークへの着色または明暗の反転により表すことができる。
【００５３】
このように、画像形成部３２６によって、時々刻々の処理の状況を反映した状況表示画像３３０が形成され表示器３１２に表示される。そして、分注前処理が進行すると、各親検体ラックについての分注が進み、そのうちに各子検体ラックに分注処理前の子検体容器が少なくなる。そして、子検体容器に予定された分注がすべて終了した子検体ラックについては、状況表示画像３３０上の対応するラックシンボル３３２，３３４，３３６，３３８にそのことが識別できるように表される。例えば、そのラックシンボルを点滅させることで表すことができる。ユーザは、その点滅するラックシンボルの色を見て、例えば黄色であれば、ラックカラーが黄色のラックが交換すべきであることが容易に判別できる。
【００５４】
上記説明は、通常子検体ラックおよび通常子検体容器について行ったが、緊急子検体ラックおよび緊急子検体容器についても本発明が実施できる。また、親検体ラック、異常親検体ラックについても本発明が実施できる。
【００５５】
【発明の効果】
本発明に係る検体前処理システムによれば、表示画面に表される各子検体ラックの判別が容易になる。
【図面の簡単な説明】
【図１】本発明に係る実施の形態における検体前処理システムのブロック図である。
【図２】本発明に係る実施の形態における検体前処理システムの平面構成図である。
【図３】管理テーブルの一例を示す図である。
【図４】状況表示画像の一例を示す図である。
【符号の説明】
１０  検体前処理システム、１６  分注装置、２２  親検体ラック、５０  分注ノズル、５２  チップラック、５６  通常子検体ラック、５７  通常エリア、６０  通常子検体容器、７５  異常親検体ラック、７７  緊急子検体ラック、７９  緊急子検体容器、３０２  前処理部、３０４  制御処理部、３１２  表示器、３２２  分注状況管理部、３２４  登録部、３２６  画像形成部、３２８  管理テーブル、３３０  状況表示画像、３３２，３３４，３３６，３３８  ラックシンボル、３４０  容器シンボル、３５０  親検体ラックシンボル、３５２  異常親検体ラックシンボル、３５４  緊急ラックシンボル、３５６  チップラックシンボル、３５８  工程マーク。
【図１】
0003604134.tif 000002
【図２】
0003604134.tif 000003
【図３】
0003604134.tif 000004
【図４】
0003604134.tif 000005